(57)【要約】      （修正有）【課題】手押しポンプを２輪台車に固定して可搬式にし、災害時に防災用井戸、例えば消火用井戸のところに容易に運搬して利用するマンホール設置式可搬手押しポンプを提供する。【解決手段】ポンプ体３の上部前方に給水口６を設け、ポンプ体の後方に設けた軸支部７にハンドル１１を着脱可能に連結する取付部９の中間部を回転可能に軸支した取付部９の先端と、ポンプ体内に上下動可能に収容した揚水機構２で連結し、該ポンプ体の下部をポンプ受板１６上に取り付ける。また、先端に挿入継手部４を有したエルボ管５を前記ポンプ体３の下部に連結してなる手押しポンプ１を固定したポンプ受板１６を、上部に把手部１７ａを有して下部に車輪２０，２０を軸支した枠体１７の前方に設けた支持脚２７上に固定する。さらに、前記挿入継手部４に連結させる受入継手部３１を上部に有したホース３０を該マンホールカバー２５の中央付近に設けた穴部２５ａからマンホール２４内に挿入して揚水する。【選択図】図１
0003178201.tif 000002
【実用新案登録請求の範囲】
【請求項１】
ポンプ体（３）の上部前方に給水口（６）を設けると共に、後方に設けた軸支部（７）に、後部にハンドル（１１）を着脱可能に連結する取付部（９）の中間部を回転可能に軸支し，該取付部の先端と該ポンプ体内に上下動可能に設けた揚水機構（２）の上部とを連結板（１０）で連結してなる手押しポンプ（１）であって、
中央付近に挿入孔（１６ｃ）を設けたポンプ受板（１６）上に前記ポンプ体（３）の下部を固定し、前記挿入孔を通して立上後部を前記ポンプ体の下部にエルボ管（５）を有した前記手押しポンプ（１）を、枠体（１７）の下部に軸支した車軸（１９）の両端に車輪（２０，２０）を軸支してなる２輪台車（１５）の前記ポンプ受板の下部に、前記車輪と対をなす支持脚（２７）の上部を前記ポンプ受板に取り付け、前記エルボ管（５）の先端に設けた挿入継手部（４）に連結するホース（３０）を、該マンホールカバー（２５）に設けた穴部（２５ａ）からマンホール（２４）に挿入して揚水することを特徴とするマンホール設置式可搬手押しポンプ。
【請求項２】
前記支持脚（２７）は、前記ポンプ受板（１６）後部に設けた逆Ｕ字状をした枠体（１７）の上部前方に傾斜した杷手部１７ａを有し、下部に軸支した車軸（１９）の両端に軸承させた車輪（２０，２０）の前方両側に、前記車輪との間に距離を有して設けた任意形状をした下端部（２１ａ）を有して対をなして設けた脚部（２１）と、前記脚部よりさらに前方に位置して前記脚部と直交するように配したＵ字状の下辺部（２２ａ）を有して一体に設けた脚部（２２，２２）とからなり、前記下端部２１ａと前記下辺部（２２ａ）と前記車輪（２０）の下面とからなる同一面と前記枠体１７とを略直角に設けてなることを特徴とする請求項１記載のマンホール設置式可搬手押しポンプ。
【請求項３】
前記ポンプ受板（１６）の上面前部に、マンホールカバー（２５）の周縁部を掛止させる掛止部（１６ａ）を設けると共に、該マンホールカバーを２輪台車（１５）の逆Ｕ字状をした枠体（１７）に固定する保持バンド（３７）を具えてなることを特徴とする請求項１記載のマンホール設置式可搬手押しポンプ。
【請求項４】
前記マンホールカバー（２５）は、中央付近にホース挿入用の穴部（２５ａ）を設けると共に周縁部に一対の細長孔（２５ｂ，２５ｂ）を設け、前記細長孔に挿入して前記マンホールカバーの下面に掛止する係止片（２３ｂ，２３ｂ）を下端に設けた一対の固定棒（２３，２３）の上部に有した螺条部（２３a，２３ａ）を前記ポンプ受板の両側に設けた孔部（１6ｂ，１6ｂ）に下方から挿通し、前記螺条部に固定ネジ（２３ｃ，２３ｃ）を螺合して２輪台車（１５）に前記マンホールカバー（２５）上を固定してなることを特徴とする請求項１記載のマンホール設置式可搬手押しポンプ。
【請求項５】
前記ポンプ受板（１６）の上面一側に、前記取付部（９）に着脱可能に連結させる ハンドル（１１）を収納する収容筒（３５）を設けてなることを特徴とする請求項１記載のマンホール設置式可搬手押しポンプ。
【請求項６】
前記ホース（３０）は、上部に前記エルボ管（５）の水平部先端に設けた挿入継手部（４）と着脱可能に連結する受入継手部（３１）を有し、下部にストレーナ（３２）及びフート弁（３３）を有してなることを特徴とする請求項１記載のマンホール設置式可搬手押しポンプ。
【考案の詳細な説明】
【技術分野】
【０００１】
本考案は、手押しポンプを２輪台車に取り付け可搬式にして消火用マンホールに運び、震災時にはこの消火用マンホールに簡単に装着して防災用井戸として揚水を可能にしたマンホール設置式可搬手押しポンプに関するものである。
【背景技術】
【０００２】
地震などの震災が発生した場合に、地上にある建物などの構造物が破壊されると、破壊された構造物に付設してあるガス管の破損によるガス漏れ、電線の断線による漏電などから火災が発生することが多い。他方、地中に埋設されている水道管が破損した場合には水道水が断水し、水道管から消火用の水が得られなくなる。その上、道路や橋が破損したり、障害物が路面上に多数散乱して通行止めになると道路を走行する消防自動車は利用できなくなるという問題点がある。
【０００３】
そのため、最近は災害時に発生する火災の消火等に利用する防災用又は消火用井戸を各地に設けている。この防災用井戸は災害時の生活用水の確保の他に、集合地域や無電源地域の給水にも利用することができ、さらにまた、井戸水の水質によっては飲料水として利用することもできる。
【０００４】
従来、手押し式ポンプを具えた可搬式の揚水装置は存在するが、これは揚水パイプを地下の水脈に機械的に打ち込む装置により土壌中に打ち込んで水脈まで挿入し、ついで、該揚水パイプの上部に手押しポンプを接続して揚水するものであり、災害時などに直ちに手押しポンプを設置して消火用の水を得ることができるという構成ではない（特許文献１参照）。さらにまた、通常の手押しポンプは各地にある通常の井戸と同じく固定式であって、手押しポンプを災害による火災発生現場まで手軽に移動することができない固定式井戸に関する構成である（特許文献２参照）。
【０００５】
非常用に水を溜めておく防災用井戸、即ち消火用マンホールから水を揚水するには、防災用井戸にポンプを取り付けてあることが必要である。しかし、学校や図書館などの敷地内に設けてある災害用井戸は、通常、それらの井戸を常設してある敷地内を頻繁に車両が通行することはない。そのため、消火用マンホールに手押しポンプを常設してあっても殆ど障害とはならない。しかしながら、道路の地下等を利用して設けた災害防止用の水を溜めておく消火用貯水槽のマンホールは、多くの場合、マンホ−ル口にマンホール蓋を嵌合してあり、その上面は道路の路面の一部であって、通常は車両が通行する道路として利用されているため、該マンホール口に手押しポンプを常設して取り付けておくことはできないという問題点を有している。
【先行技術文献】
【特許文献】
【０００６】
【特許文献１】特開２００２−３２２９７９号公報
【特許文献２】特開２０１０−４８１００号公報
【考案の概要】
【考案が解決しようとする課題】
【０００７】
本考案は上記問題点を解決するために、災害時に消火用井戸のマンホールから水を揚水する場合に、停電でも使用できるように電力を必要としない手押しポンプを可搬式にして自由に移動できるようにするものである。この場合、消火用井戸のマンホール蓋の上面が道路の一部をなしている場合には、該マンホール口に手押し式ポンプを常時設置して置くことは車両や人の通行に邪魔となるため不可能である。
【０００８】
そのため、通常は該貯水槽のマンホール口にはマンホール蓋を嵌合し、その上面を道路の路面の一部として使用しているため、震災などが生じた場合には、該消火用井戸のマンホール蓋を取り外して該マンホール口に手押しポンプを簡単に取り付けて使用することができるようにし、マンホール口に手押しポンプを取り付けて井戸として使用することができれば、災害時における、特に火災を消火することができて極めて便利である。また、災害時には非常用井戸まで手押しポンプを容易に運搬することができ、さらに、マンホール口に該手押しポンプを短時間で設置してマンホール内から容易に揚水できる可搬手押しポンプを提供することを目的とするものである。
【課題を解決するための手段】
【０００９】
上記課題を解決するために本考案は、ポンプ体３の上部前方に給水口６を設けると共に、後方に設けた軸支部７に、後部にハンドル１１を着脱可能に連結する取付部９の中間部を回転可能に軸支し，該取付部の先端と該ポンプ体内に上下動可能に設けた揚水機構２の上部とを連結板１０で連結してなる手押しポンプ１であって、中央付近に挿入孔１６ｃを設けたポンプ受板１６上に前記ポンプ体３の下部を固定し、前記挿入孔を通してエルボ管５の立上後部を前記ポンプ体の下部に接続した前記手押しポンプ１を、枠体１７の下部両端に車輪２０，２０を軸支してなる２輪台車１５の前記ポンプ受板の下部に、前記車輪と対をなす支持脚２７の上部を前記ポンプ受板に取り付け、前記エルボ管５の先端に設けた挿入継手部４に連結するホース３０を、該マンホールカバー２５に設けた穴部２５ａからマンホール２４に挿入して揚水することを特徴とする。また、前記支持脚２７は、前記ポンプ受板１６後部に設けた逆Ｕ字状をした枠体１７の上部前方に傾斜した杷手部１７ａを有し、下部に軸支した車軸１９の両端に軸承させた車輪２０，２０の前方両側に、前記車輪との間に距離を有して設けた任意形状をした下端部２１ａを有して設けた対をなす脚部２１，２１と、前記脚部よりさらに前方に位置して前記脚部と直交するように配したＵ字状の下辺部２２ａを有して一体に設けた脚片２２とからなり、前記下端部２１ａと前記下辺部２２ａと前記車輪２０との下面とからなる同一面と前記枠体１７とを略直角に設けてなることを特徴とする。さらにまた、前記ポンプ受板１６の上面前部に、マンホールカバー２５の周縁部を掛止させる掛止部１６ａを設けると共に、該マンホールカバーを２輪台車１５の前記枠体１７に固定する保持バンド３７を具えてなることを特徴とする。また、前記マンホールカバー２５は、中央付近にホース挿入用の穴部２５ａを設けると共に周縁部に一対の細長孔２５ｂ，２５ｂを設け、前記細長孔に挿入して前記マンホールカバーの下面に掛止する係止片２３ｂ，２３ｂを下端に設けた一対の固定棒２３，２３の上部に有した螺条部２３ａ，２３ａを前記ポンプ受板の両側に設けた孔部１６ｂ，１６ｂに下方から挿通し、前記螺条部に固定ネジ２３ｃ，２３ｃを螺合して２輪台車１５を前記マンホールカバー２５上に固定してなることを特徴とする。さらにまた、前記ポンプ受板１６の上面一側に、前記取付部９に着脱可能に連結させる ハンドル１１を収納する収容筒３５を設けてなることを特徴とする。また、前記ホース３０は、上部に前記エルボ管５の水平部先端に設けた挿入継手部４と着脱可能に連結する受入継手部３１を有し、下部にストレーナ３２及びフート弁３３を有してなることを特徴とする。
【考案の効果】
【００１０】
本考案の手押しポンプ１は小型で軽量であって２輪台車上に固定して設置して可搬式に構成してあるから、運搬用の車両が走行できない場合には、人が一人で簡単に消火用井戸まで運搬することができる。さらに、消防自動車が来るまでの初期消火や、災害時に水道水が遮断して電気が停電になった場合でも火災などを消火することができ、さらには、生活用水（例えば、トイレの水など）を確保することができる。
【００１１】
消火用井戸のマンホール口からマンホール蓋を外した後、中心部に穴部を有したマンホールカバーを該マンホール口に嵌合し、ついで、該マンホールカバーの上面に手押しポンプを具えた２輪台車を固定して消火作用を行うことができるため、消火作業中に該マンホール内に作業者が不注意などにより落下する事故を起こすことがなく、安全に消火作業を行うことができる。その上、本考案の可搬手押しポンプを該マンホールカバー上に固定して揚水作業を行うために安定した足場を提供し、安心してポンプ作業を行うことができるため作業者の疲労を軽減することができるという利点を有している。
【００１２】
本考案の手押しポンプの下部に連結して設けたエルボ管の先端に設けた挿入継手部に連結するホースは可撓性を有するため、必要に応じて長いホースを使用することにより、河川やプールの水も災害には消火用の水として使用することもできる。さらに、ホースを連結するためポンプ体の下部にＬ型のエルボ管を取り付けたことにより、該ポンプ体の高さを低く形成して軽量化が図れ、２輪台車に取り付けたことにより１人の作業員でも容易に任意の個所に該手押しポンプを運搬することができるという機動性を有する利点がある。
【００１３】
２輪台車上に手押しポンプを取り付けることにより可搬式にしてあるため、マンホールカバーやポンプ用のハンドルを付属品として取り付けてあるため一緒に消火用井戸まで運搬することができ、該マンホール口に嵌合させたマンホールカバー上に手押しポンプを具えた２輪台車を設置して固定ねじで固定し、それにより直ちに消火に取りかかることができるため、作業現場に、手押しポンプ用のハンドルやマンホールカバー等を忘れるのを防いで直ちに消火作業を行うことができる。
【００１４】
ポンプ体や２輪台車は防錆製、即ち、オールステンレス製の金属を使用して形成してあるため、防災用品などの保管倉庫に長期間保管していても金属が錆びることがないので、製品購入時に価格が多少高くても、該可搬手押しポンプは錆びることなく長期間使用することができるためコスト的に安価となる利点を有するものである。
【図面の簡単な説明】
【００１５】
【図１】本考案に係る可搬手押しポンプ及びマンホールカバーを消火用井戸に設置して使用状態を示す一部省略した断面図である。
【図２】図１に示した可搬式手押しポンプのハンドルを省略した状態の平面図である。
【図３】手押しポンプを取り付ける２輪台車をマンホールカバー上に固定した状態を示す一部破断した説明図である。
【図４】ポンプ体を取り付ける前の２輪台車の平面図である。
【図５】マンホールカバー及びハンドルを付属品として２輪台車に装備した可搬手押しポンプの移動状態を示す側面図である。
【図６】固定棒の下部に設けた係止片とマンホールカバーに設けた細長孔との関係を示す一部省略した平面図である。
【考案を実施するための形態】
【００１６】
本考案の実施の形態を図面により説明すると、図１は可搬手押しポンプ及びマンホールカバーを消火用井戸に設置して使用状態を示す一部省略した断面図、図２は図１に示した可搬手押しポンプの平面図、図３は手押しポンプを設置する２輪台車をマンホールカバー上に固定した状態を示す一部破断した説明図、図４はポンプ体を取り付ける前の２輪台車の平面図、図５はマンホールカバー及びハンドルを付属品として２輪台車に装備した可搬手押しポンプの移動状態を示す側面図である。
【００１７】
手押しポンプ１は防錆製、例えば、オールステンレス製の金属で製造したもので、内部に公知の揚水機構２を設けたポンプ体３の下部に、水平部分の先端に挿入継手部４を設けたエルボ管５の立上後部の上端を連結し、該ポンプ体３の上部前方に揚水した水を吐出する給水口６を設けてある。さらに、このポンプ体３の上部後方に設けた軸支部７に取付部９の略中間部を回転可能に軸支すると共に、該取付部の先端に、一端を連結した連結板１０の他端と前記揚水機構２の上部に連結して該ポンプ体の上方から突出した該揚水機構２の上部とを連結してある。
【００１８】
この取付部９の後端には、普段は前記取付部９から分離してある防錆製の金属からなるパイプ製のハンドル１１の先端を固着し、該軸支部７を支点にして取付部９に連結したハンドル１１を繰り返し上下動することによりマンホール内に貯水した水を揚水するものである。該ハンドル１１は不使用時にはポンプ受板１６上の一側に樹立して設けた収容筒３５内に収納してある。この手押しポンプ１は、持ち運びに便利なカート式の２輪台車１５に設けたポンプ受板１６上に固定して一人の人力でも容易に走行して可搬できるように小型・軽量に構成してある。
【００１９】
この２輪台車１５は、防錆製の金属で製造したものであって、逆Ｕ字状をした枠体１７の上部を前方に折曲げて杷手部１７ａを形成し、該枠体１７の下部を水平方向に軸支させた車軸１９の両端に外周にゴム製のタイヤを具えた車輪２０，２０をそれぞれ回転可能に軸承してある。該枠体１７の下部後方にはそれぞれ任意形状の脚部２１、２１を設けてある。
【００２０】
脚片２２は、２輪台車１５に設けたポンプ受板１６の下面両側に取り付けてある脚部２１，２１の上部両側に取り付けてあり、上部に位置した左右両側の棒杆の後端を、前記脚部２１，２１より後方に距離Ｌの長さ分延長し（図５）、且つ、下方に折り曲げてＵ字状に形成して下辺部２２ａを設けてあり、前記脚部２１と脚片２２とで支持脚２３を形成してある。さらに、前記脚部２１の下端部２１ａと、脚片２２の下辺部２２ａと、車輪２０の下面とが、同一面上に位置するように形成してある。即ち、マンホールカバー２５上に、脚部２１の下端部２１ａと脚片２２の下辺部２２ａと車輪２０とを位置させた場合、前記ポンプ受板１６上に設置した手押しポンプ１は略垂直に位置するように設けてある。
【００２１】
この支持脚２３は、必ずしも脚部２１と脚片２２とで形成することなく、脚部２２を後方に延長して形成すれば脚部２１だけでもその機能を果たすことが出来る。また、脚片２２の強度を多少高めれば、必ずしも脚部２１は必要なく脚片２２のみでも十分である。即ち、脚部２１の下端部２１は両側に２個有しており、脚片２２の下辺部２２ａは１個有しているが、両車輪間の長さ分を有しているので該下辺部２２ａは安定性を有するという利点がある。
【００２２】
前記脚部２１は、ポンプ受板１６の両側にそれぞれ取り付けてあって、各脚部どうしは直接連結していないが枠体１７には連結してある。また、脚片２２は、脚部より後方に延長した端部を下方に折り曲げ、さらに、下端を直角に折り曲げて略Ｕ字状をした下辺部２２ａを形成して一体に形成してある。そして、この脚片２２を、前記脚部の内側に位置してポンプ受板１６に取り付けてある。このように脚部２１と脚片２２とを組み合わせることにより安定性を一段と向上させることができる。特に脚片２２の下辺部２２ａは、脚部２１の下端部２１ａのように点ではなく、下辺部２２ａはマンホールカバー２５上に線接触して前記両車輪間の長さを有しているので、該２輪台車１５とマンホールカバー２５との間の接地機能が高いという利点を有する。
【００２３】
１７ｂは、枠体１７の上部の杷手部１７ａの下側部分を前方に傾斜して設け、タオルやロープ等の小物を直接又は図示しない容袋内に収容して取り付ける掛止部片である。さらに、１７ｃは、ポンプ受板１６の前部両側と、前記枠体１７の中間部に補強のために軸支した軸杆１８の両端とにそれぞれ軸着して取り付けた補強片であって、ポンプ体３を上面に取り付けたポンプ受板１６と枠体１７との取付部分を補強してある。また、車輪の外側にはゴム製のチューブレスのタイヤを装着してあるため路面上を滑ることなく滑らかに走行させて運搬することができる。
【００２４】
このポンプ受板１６の中間部の両側部分には、夫々対をなして孔部１６ｂ、１６ｂを形成してあり、さらに、後記するマンホールカバー２５の周縁部分に、前記ポンプ受板１６に設けた孔部１６ｂ、１６ｂの間隔と等しい間隔であって、対をなして細長孔２５ｂ、２５ｂを形成してある。
【００２５】
２３はマンホールカバー２５上に、２輪台車１５を一時的に固定するための固定棒で、該固定棒の上部には螺条部２３ａを設けてあり、また、下部には直角に折り曲げて係止片２３ｂを設けてやや長尺に形成してある。該螺条部２３ａに固定ネジ２３ｃを着脱可能に螺合して、該固定ねじ２３ｃと係止片２３ｂとで、マンホールカバー２５上にポンプ受板１６を介して２輪台車１５上に取り付けた手押しポンプ１を固定してある。
【００２６】
固定棒２３の下端には直角に折り曲げて設けた係止片２３ｂは、マンホールカバー２５の周縁部に設けた一対の細長孔２５ｂ，２５ｂに挿入できる形に形成してあり、該係止片２３ｃは細長孔２５ｂを挿通して該マンホールカバーの裏面に位置した該係止片２３ｂを約９０度回転させることにより該マンホールカバー２５の下面に掛止する。ついで、ポンプ受板１６に設けた一対の孔部１６ｂ，１６ｂに下方から挿入して該ポンプ受板上に突出した固定棒２３の螺条部２３ａ，２３ａに固定ネジ２３ｃ、２３ｃを螺合して締め付け、該可搬手押しポンプ１を有した２輪台車１５をマンホールカバー２５上に固定する。
【００２７】
ポンプ受板１６の中央部には、前記エルボ管５の立上後部を下方から挿通してポンプ体３の下部に連結させるための挿入孔１６ｃを設けてある。そして、上部に設けた杷手部１７ａを保持して該枠体１７を傾斜させた状態で、図５に示した矢印方向に移動させると脚部２１の下端部２１ａ及び脚片２２の下辺部２２ａは地上から離れてスムースに走行できる
。また、このポンプ受板１６に取り付けた車輪２０は４輪でなくカート式の２輪であるから枠体１７を傾斜させた状態で人が一人で容易に走行しながら運搬することができる。
【００２８】
図２に示すように、２輪台車のポンプ受板１６の前部（前記給水口と反対側）の上面には、既設マンホール口２６に嵌合しているマンホール蓋（図示せず）と交換して取り付け、揚水作業中に作業員がマンホール内に落下しないよう該マンホール口２６に被せて閉鎖するマンホールカバー２５の周縁部を該ポンプ受板上に掛止する細長な凹溝又は孔部からなる掛止部１６ａを設けてある。さらに、該マンホールカバー２５の中央付近には、手押しポンプ１の下部に設けた水平部を有したエルボ管の先端に連結したホース３０をマンホール内に挿入させる穴部２５ａを設けてあり、周辺部分には一対の細長孔２５ｂ、２５ｂを形成してあり、該細長孔２５ｂ、２５ｂの間隔は、前記ポンプ受板に設けた孔部１６ｂ、１６ｂと同間隔に形成してある。
【００２９】
３０は可撓性を有した長尺なホースで、該ホース３０の上端には、前記エルボ管の挿入継手部４と着脱可能に連結する受入継手部３１を設けてある。そして、該ホースの下端には貯水槽２４内から揚水する際に、水中の塵芥の混入を防ぐストレーナ３２を具え、また、ハンドル１１の上下動を一時的に停止しても直ちに該ホース内の水が降下しないようにするフート弁３３を有してあり、前記挿入継手部４と受入継手部３１とで容易に着脱できる継手を構成してある。ホース３０は長さの相違するものをいく種類か用意しておくと用途に応じて使い分けることが可能である。
【００３０】
この取付部９にパイプ状のハンドル１１を着脱可能に連結し、該ハンドルの後端には滑止用のグリップ１２を装着してある。そして、ハンドル１１は通常取付部９から取り外してあり、使用時に取付部９に連結してハンドルとして使用するものである。ポンプを使用しない場合は、取付部９から取り外したハンドル１１は、ポンプ受板１６上の一側部に樹立させて設けたパイプ状の収容筒３５内に収納してある。このようにハンドルをポンプ体から分離する構成にしたことにより、該ポンプ体を小型且つ軽量化できる利点がある。また、ポンプ体３の上部には揚水作業前に呼び水をポンプ体内注入するための呼水口（図示せず）を設けてもよいが、呼び水をしなくても揚水可能であるので、呼水口は必ずしも必要ではない。
【００３１】
本考案の実施の形態の作用について説明すると、震災が発生して火災を消火させる場合、道路が使用できる状態では、複数の可搬式手押しポンプを車両に乗せて運搬できるが、車両が通行できない場合は、この可搬式ポンプを防災用井戸まで運ぶ必要がある。この可搬式ポンプはカート式の２輪であって、小型で軽量に形成してあるため取り扱いやすく車輪２０を転がして災害用井戸、例えば消火用井戸の近くまで作業者が容易に運ぶことができる利点を有するものである。
【００３２】
震災用又は消火用井戸の近くに可搬式の手押しポンプ１を運搬し、道路の路面に設置したマンホール口２６に嵌合しているマンホール蓋（図示せず）を取り外し、保持バンド３７で２輪台車１５に保持しているマンホールカバー２５を取り外してマンホール口２６に嵌合させ、可搬式の手押しポンプ１を該マンホールカバー上に位置させる。ついで、マンホールカバー２５の中央に設けた穴部２５ａから、下部にストレーナ及びフート弁を有したホース３０をマンホール２４内の水中に挿入し、該ホース３０の上部に設けた受入継手部３１を前記手押しポンプの下部に有したエルボ管５の先端に設けた挿入継手部４に連結する。
【００３３】
ついで、マンホールカバー２５上に設置した２輪台車１５の脚部２１の下端部２１ａと車輪２０とで該２輪台車１５をマンンホールカバー２５上に設置し、固定棒２３を使用して該マンホールカバー２５の周縁部に設けた細長孔２５ｂ，２５ｂに掛止し、該固定棒の他端は２輪台車のポンプ受板に設けた孔部１６ｂ，１６ｂに挿通し、該固定棒の上部に設けた螺条部２３ａ，２３ａに螺合して固定し、手押しポンプ１を固定した２輪台車１５をマンホールカバー２５上に固定して安定させる。
【００３４】
また、必要に応じてポンプ体３内に呼び水を注水し、または注水せずに、ハンドル１１を数回上下方向に回転させてポンプ体３内の空気を排出してから水の揚水を開始するもので、ハンドル１１を連続して上下動させることによりマンホール２４内から水を地上にくみ上げて消火用水などに使用する。このホース３０の下部には塵芥の吸い込みを防ぎ防止用のストレーナ３２を有しているので塵芥の吸い込みを防止すると共に、作業員の交代などで該ハンドルの上下動を一時的に止めても該ホース３０内の水はフート弁３３により直ちに落下するのを防ぐことができるため、該ハンドルを再び上下動すれば水の揚水を続けて行うことができるものである。
【００３５】
消火用の水を汲み上げるマンホール口２６をあけたままで手押しポンプを操作すると、人がマンホール内に落下するおそれがあるので、既存のマンホール蓋を取り外した後に該マンホール口２６にマンホールカバー２５を嵌合して塞ぐため、安心して消火作業等の救助作業を行うことができる利点を有するものである。
【符号の説明】
【００３６】
１    手押しポンプ
２    揚水機構
３    ポンプ体
４    挿入継手部
５    エルボ管
６    給水口
７    軸支部
９    取付部
１０    連結板
１１    ハンドル
１５    ２輪台車
１６    ポンプ受板
１６ａ  掛止部
１６ｂ  孔部
１６ｃ  挿入孔
１７    枠体
１７ａ  杷手部
１９    車軸
２０    車輪
２１    脚部
２１ａ  下端部
２２    脚片
２２ａ  下辺部
２３    固定棒
２３ａ  螺条部
２３ｂ  係止片
２３ｃ  固定ネジ
２４    マンホール
２５    マンホールカバー
２５ａ  穴部
２５ｂ  細長孔
２６    マンホール口
２７    支持脚
３０    ホース
３１    受入継手部
３２    ストレーナ
３３    フート弁
３５    収容筒
３７    保持バンド
【図１】
0003178201.tif 000003
【図２】
0003178201.tif 000004
【図３】
0003178201.tif 000005
【図４】
0003178201.tif 000006
【図５】
0003178201.tif 000007
【図６】
0003178201.tif 000008